(57)【特許請求の範囲】
【請求項１】
乗り物アセンブリであって、
複数の乗客を運ぶように構成され、かつ乗り物経路に沿った方向に移動するように構成された乗り物車両と、
前記乗り物車両に対して乗車位置から作動位置に回転するように構成された背もたれを含み、前記複数の乗客のうちの第１の乗客を着座させるように構成された、前記乗り物車両の第１の乗客席と、
前記方向に対して前記第１の乗客席の背後に配置され、前記複数の乗客のうちの第２の乗客を着座させるように構成された、前記乗り物車両の第２の乗客席と、
前記第１の乗客席の前記背もたれに結合されて、前記背もたれが前記作動位置にあるときに前記第２の乗客を前記第２の乗客席内で固定するように構成された乗客拘束具と、
を含む、乗り物アセンブリ。
【請求項２】
前記乗客拘束具は、前記背もたれが前記作動位置にあるときに前記第２の乗客の膝に近接して配置される、請求項１に記載の乗り物アセンブリ。
【請求項３】
前記乗客拘束具は、前記第２の乗客の前記膝に適合するように構成された窪みを含む、請求項２に記載の乗り物アセンブリ。
【請求項４】
前記乗客拘束具は、半円形の断面を含む、請求項１に記載の乗り物アセンブリ。
【請求項５】
前記第１の乗客席は、前記乗り物車両の第１の乗客プラットフォームに結合され、前記第２の乗客席は、前記乗り物車両の第２の乗客プラットフォームに結合され、前記第１及び第２の乗客プラットフォームは、前記乗り物車両の基部に対して前記乗車位置から前記作動位置に回転するように構成される、請求項１に記載の乗り物アセンブリ。
【請求項６】
前記第１の乗客プラットフォーム、前記第２の乗客プラットフォーム、又はこれらの両方は、前記乗り物車両の前記基部にヒンジ接続部を介して結合される、請求項５に記載の乗り物アセンブリ。
【請求項７】
前記第１の乗客プラットフォーム、前記第２の乗客プラットフォーム、又はこれらの両方を前記ヒンジ接続部の周囲で回転させるように構成されたアクチュエータを含む、請求項６に記載の乗り物アセンブリ。
【請求項８】
前記第１の乗客プラットフォーム、前記第２の乗客プラットフォーム、又はこれらの両方を回転させるように前記アクチュエータに指示するように構成されたコントローラを含む、請求項７に記載の乗り物アセンブリ。
【請求項９】
前記第１の乗客席は、第１の支持体を介して前記第１の乗客プラットフォームに結合され、前記第２の乗客席は、第２の支持体を介して前記第２の乗客プラットフォームに結合される、請求項５に記載の乗り物アセンブリ。
【請求項１０】
前記第１の支持体、前記第２の支持体、又はこれらの両方は、前記背もたれが前記乗車位置から前記作動位置に移動するときに、前記第１の支持体、前記第２の支持体、又はこれらの両方の長さを増加させるように構成された伸縮部材を含む、請求項９に記載の乗り物アセンブリ。
【請求項１１】
乗り物アセンブリであって、
複数の乗客を運ぶように構成され、かつ乗り物経路に沿った方向に移動するように構成された乗り物車両と、
それぞれが前記複数の乗客のうちの対応する乗客を着座させるように構成された、前記乗り物車両の複数の乗客席と、
それぞれが前記乗り物車両に対して乗車位置から作動位置に回転するように構成された、前記複数の乗客席の複数の背もたれと、
前記複数の乗客席のうちの第１の乗客席の、前記複数の背もたれのうちの第１の背もたれに結合された乗客拘束具と、
を含み、前記乗客拘束具は、前記背もたれが前記作動位置にあるときに、前記複数の乗客のうちの１人の乗客を前記複数の乗客席のうちの第２の乗客席内で固定するように構成され、前記第２の乗客席は、前記方向に対して前記第１の乗客席の背後に配置される、
乗り物アセンブリ。
【請求項１２】
前記乗り物車両の前記複数の乗客席は、前記方向に対して横方向である横軸に沿って前記複数の乗客席が互いに対してオフセットされるように階段状構成で配置される、請求項１１に記載の乗り物アセンブリ。
【請求項１３】
前記複数の乗客席は、前記第１の乗客席の基部と前記第２の乗客席の基部との間の距離が７インチ〜１０インチであるように互いに対してオフセットされる、請求項１２に記載の乗り物アセンブリ。
【請求項１４】
前記複数の乗客席の各乗客席は、座席部分と、前記乗り物車両に結合された支持体とを含む、請求項１１に記載の乗り物アセンブリ。
【請求項１５】
前記座席部分及び前記支持体は、前記複数の背もたれが前記乗車位置から前記作動位置に回転したときに、前記乗り物車両に対して実質的に静止したままであるように構成される、請求項１４に記載の乗り物アセンブリ。
【請求項１６】
前記複数の乗客席は、前記複数の背もたれが前記作動位置にあるときにリクライニング位置に移動するように構成され、前記複数の乗客席は膨張式空気袋を含む、請求項１１に記載の乗り物アセンブリ。
【請求項１７】
乗り物アセンブリであって、
１又は２以上の乗客を運ぶように構成され、かつ乗り物経路に沿った方向に移動するように構成された乗り物車両と、
前記乗り物車両の基部と、
前記乗り物車両の第１の乗客プラットフォームと、
前記方向に対して前記第１の乗客プラットフォームの背後に配置された、前記乗り物車両の第２の乗客プラットフォームであって、前記第１及び第２の乗客プラットフォームは、前記基部に対して乗車位置から作動位置に回転するように構成される、第２の乗客プラットフォームと、
前記第１の乗客プラットフォームに結合された、前記乗り物車両の第１の乗客席と、
前記第２の乗客プラットフォームに結合された、前記乗り物車両の第２の乗客席と、
前記第１の乗客席の背もたれに結合された乗客拘束具であって、前記第１及び第２の乗客プラットフォームが前記作動位置にあるときに、前記１又は２以上の乗客のうちの１人の乗客を前記第２の乗客席内で固定するように構成される、乗客拘束具と、
を含む、乗り物アセンブリ。
【請求項１８】
前記第１の乗客プラットフォーム、前記第２の乗客プラットフォーム、又はこれらの両方は、前記基部にヒンジ接続部を介して結合される、請求項１７に記載の乗り物アセンブリ。
【請求項１９】
前記第１の乗客プラットフォーム、前記第２の乗客プラットフォーム、又はこれらの両方を前記ヒンジ接続部の周囲で回転させるように構成されたアクチュエータを含み、前記第２の乗客席は、前記１又は２以上の乗客のうちの前記乗客の姿勢を前記第２の乗客席内で実質的に維持するように、伸縮部分を有する支持体を介して前記第２の乗客プラットフォームに結合される、請求項１８に記載の乗り物アセンブリ。
【請求項２０】
前記第１の乗客席、前記第２の乗客席、又はこれらの両方は、前記第１及び第２の乗客プラットフォームが前記作動位置にあるときにリクライニング位置にあるように構成され、前記第１の乗客席、前記第２の乗客席、又はこれらの両方は膨張式空気袋を含む、請求項１９に記載の乗り物アセンブリ。
【請求項２１】
乗り物アセンブリであって、
乗り物経路に沿った方向を向いた複数の乗客を運ぶように構成された乗り物車両と、
前記複数の乗客のうちの第１の乗客を着座させるように構成され、前記乗り物車両に対して乗車位置からリクライニング位置に回転するように構成され、及び前記リクライニング位置にあるときに前記第１の乗客を前記乗り物車両に対して実質的に水平姿勢で支持するように構成された、前記乗り物車両の第１の乗客席と、
前記方向に対して前記第１の乗客席の背後に配置され、前記複数の乗客のうちの第２の乗客を着座させるように構成され、前記乗り物車両に対して前記乗車位置から前記リクライニング位置に回転するように構成され、及び前記リクライニング位置にあるときに前記第２の乗客を前記乗り物車両に対して実質的に水平姿勢で支持するように構成された、前記乗り物車両の第２の乗客席と、
を含み、前記第１の乗客席は、該第１の乗客席の背もたれに配置された、輪郭形成されたカマーバンド構成を含む拘束具を含み、前記第１の乗客席の前記拘束具は、前記第１の乗客席が前記リクライニング位置にあるときに前記第２の乗客を前記第２の乗客席内で固定するように構成される、
乗り物アセンブリ。
【請求項２２】
前記第１の乗客席の第１の背もたれ、前記第２の乗客席の第２の背もたれ、又はこれらの両方は、前記リクライニング位置にあるときに前記乗り物車両に対して角度を成す、請求項２１に記載の乗り物アセンブリ。
【請求項２３】
前記角度は約１８０度である、請求項２２に記載の乗り物アセンブリ。
【請求項２４】
前記第１の乗客席、前記第２の乗客席、又はこれらの両方は、前記第１の乗客、前記第２の乗客、又はこれらの両方の体重を分散させるように構成された膨張式空気袋を含む、請求項２１に記載の乗り物アセンブリ。
【請求項２５】
前記乗り物車両に対して垂直方向上向きに配置される画面であって、前記第１の乗客席及び前記第２の乗客席が前記リクライニング位置にあるときに、前記第１の乗客の第１の視点及び前記第２の乗客の第２の視点が該画面の方に向けられるような画面を含む、請求項２１に記載の乗り物アセンブリ。
【請求項２６】
前記画面は、ドーム形、キューブ形又は多角形である、請求項２５に記載の乗り物アセンブリ。
【請求項２７】
前記第１の乗客席が前記リクライニング位置にあるときに、前記第１の乗客の前記第１の視点は前記第２の乗客及び前記第２の乗客席によって妨げられず、前記第２の乗客席が前記リクライニング位置にあるときに、前記第２の乗客の前記第２の視点は前記第１の乗客及び前記第１の乗客席によって妨げられない、請求項２５に記載の乗り物アセンブリ。
【請求項２８】
前記拘束具は、前記第１の乗客席の前記背もたれに対する前記拘束具の位置を調整するように構成された延長アームをさらに含む、請求項２１に記載の乗り物アセンブリ。
【請求項２９】
前記拘束具は、前記背もたれが前記リクライニング位置にあるときに、前記第２の乗客の膝に近接して配置される、請求項２１に記載の乗り物アセンブリ。
【請求項３０】
作動位置にあるときに前記第１の乗客を前記第１の乗客席内で固定するように構成された前方拘束具を含み、該前方拘束具は、前記第１の乗客を着座させるように構成されていない、請求項２１に記載の乗り物アセンブリ。
【請求項３１】
乗り物アセンブリであって、
乗り物経路に沿った方向を向いた複数の乗客を運ぶように構成された乗り物車両と、
それぞれが前記複数の乗客のうちの対応する乗客を着座させるように構成され、かつそれぞれが前記乗り物車両に対して乗車位置からリクライニング位置に回転するように構成された、前記乗り物車両の複数の乗客席と、
前記複数の乗客席のうちの第１の乗客席に結合され、該第１の乗客席が前記リクライニング位置にあるときに、前記複数の乗客席のうちの第２の乗客席に着座した前記複数の乗客のうちの１人の乗客を固定するように構成された乗客拘束具であって、該第２の乗客席は前記方向に対して前記第１の乗客席の背後に配置される、乗客拘束具と、
前記乗客拘束具を前記第１の乗客席に結合する延長アームであって、前記第１の乗客席に対する前記乗客拘束具の位置を調整するように構成された延長アームと、
を含む、乗り物アセンブリ。
【請求項３２】
前記乗り物車両の前記複数の乗客席は、前記方向に対して横方向である横軸に沿って前記複数の乗客席が互いに対してオフセットされるように階段状構成で配置される、請求項３１に記載の乗り物アセンブリ。
【請求項３３】
前記複数の乗客席は、前記第１の乗客席の第１の基部と前記第２の乗客席の第２の基部との間の距離が７インチ〜１０インチであるように互いに対してオフセットされる、請求項３２に記載の乗り物アセンブリ。
【請求項３４】
前記第１の乗客席、前記第２の乗客席、又はこれらの両方は、膨張式空気袋を含む、請求項３１に記載の乗り物アセンブリ。
【請求項３５】
乗り物アセンブリであって、
複数の乗客を運ぶように構成され、かつ乗り物経路に沿った方向に移動するように構成された乗り物車両と、
前記乗り物車両の基部と、
前記基部に対して乗車位置からリクライニング位置に回転するように構成された、前記乗り物車両の乗客プラットフォームと、
前記乗客プラットフォームに結合された、前記乗り物車両の乗客席であって、該乗客席は第１の乗客席及び第２の乗客席を含み、該第１の乗客席は前記複数の乗客のうちの第１の乗客を着座させるように構成され、該第２の乗客席は前記方向に対して該第１の乗客席の背後に配置され、該第２の乗客席は前記複数の乗客のうちの第２の乗客を着座させるように構成される、前記乗り物車両の乗客席と、
前記乗客席を前記乗客プラットフォームに結合する支持体であって、該支持体は、前記乗客席が前記乗車位置と前記リクライニング位置との間で遷移するときに、前記複数の乗客のうちの１人の乗客の姿勢を前記乗客席内で実質的に維持するように構成された伸縮部分を含む、支持体と、
を含み、
前記乗客席は、前記第１の乗客席の背もたれに結合された拘束具であって、前記乗客プラットフォームが前記リクライニング位置にあるときに、前記第２の乗客席に着座した前記第２の乗客を固定するように構成された拘束具を含む、
乗り物アセンブリ。
【請求項３６】
前記伸縮部分は、実質的に真っ直ぐであって、前記乗客プラットフォームから線形的に伸びるように構成される、請求項３５に記載の乗り物アセンブリ。
【請求項３７】
前記乗車位置及び前記リクライニング位置を越えた前記乗客プラットフォームの回転を阻止するように構成された機械的ストップを含む、請求項３５に記載の乗り物アセンブリ。
【発明の詳細な説明】
【技術分野】
【０００１】
本開示は、一般に遊園地の分野に関する。具体的には、本開示の実施形態は、遊園地体験を提供するために利用されるシステム及び方法に関する。
【背景技術】
【０００２】
乗客に独自の動き及び視覚体験を提供する様々な娯楽用乗り物が開発されてきた。例えば、固定経路に沿って進む一人用又は多乗客用車両を含むテーマ乗り物を実装することができる。乗客は、車両が経路に沿って移動する際の速度又は方向の変化によってもたらされる興奮を体験することができる。乗り物車両(ride vehicles)は、固定経路に沿って加速及び／又は移動する際に乗客を乗り物車両内に固定する乗客拘束具(passenger restraints)を含むことができる。残念ながら、乗客拘束具が乗り物車両において比較的大量の空間を消費することにより、乗り物車両が輸送できる乗客の数が減少してしまうことがある。また、乗客拘束具が乗り物車両の通路及び／又は通り道を塞ぐことにより、乗客による乗り物車両の乗車／降車が遅れてしまうこともある。従って、今では、娯楽用乗り物の乗り物車両のための改善された乗客拘束具に対するニーズが存在すると認識されている。
【発明の概要】
【課題を解決するための手段】
【０００３】
以下、当初の特許請求の範囲の主題と同一範囲のいくつかの実施形態を要約する。これらの実施形態は、本開示の範囲を限定するものではなく、むしろ開示するいくつかの実施形態の概要を示すものにすぎない。実際に、本開示は、以下に示す実施形態と同様の又は異なる様々な形態を含むことができる。
【０００４】
１つの実施形態によれば、乗り物アセンブリ(ride assembly)が、１又は２以上の乗客を運んで乗り物経路に沿った方向に移動するように構成された乗り物車両と、乗り物車両に対して乗車位置(loading position)から作動位置(active position)に回転するように構成された背もたれ(seatback)を含み、１又は２以上の乗客のうちの第１の乗客を着座させるように構成された、乗り物車両の第１の乗客席と、上記方向に対して第１の乗客席の背後に配置され、１又は２以上の乗客のうちの第２の乗客を着座させるように構成された、乗り物車両の第２の乗客席と、第１の乗客席の背もたれに結合されて、背もたれが作動位置にある時に第２の乗客を第２の乗客席に固定するように構成された乗客拘束具と、を含む。
【０００５】
別の実施形態によれば、乗り物アセンブリが、複数の乗客を運んで乗り物経路に沿った方向に移動するように構成された乗り物車両と、それぞれが複数の乗客のうちの対応する乗客を着座させるように構成された、乗り物車両の複数の乗客席と、それぞれが乗り物車両に対して乗車位置から作動位置に回転するように構成された、複数の乗客席の複数の背もたれと、複数の乗客席のうちの第１の乗客席の、複数の背もたれのうちの第１の背もたれに結合された乗客拘束具と、を含み、乗客拘束具は、背もたれが作動位置にある時に、複数の乗客のうちの１人の乗客を複数の乗客席のうちの第２の乗客席に固定するように構成され、第２の乗客席は、上記方向に対して第１の乗客席の背後に配置される。
【０００６】
別の実施形態によれば、乗り物アセンブリが、１又は２以上の乗客を運んで乗り物経路に沿った方向に移動するように構成された乗り物車両と、乗り物経路に沿った方向に移動するように構成された乗り物車両の基部(base)と、乗り物車両の第１の乗客プラットフォームと、上記方向に対して第１の乗客プラットフォームの背後に配置された、乗り物車両の第２の乗客プラットフォームと、を含み、第１及び第２の乗客プラットフォームは、基部に対して乗車位置から作動位置に回転するように構成され、乗り物アセンブリは、第１の乗客プラットフォームに結合された、乗り物車両の第１の乗客席と、第２の乗客プラットフォームに結合された、乗り物車両の第２の乗客席と、第１の乗客席の背もたれに結合された乗客拘束具と、をさらに含み、乗客拘束具は、第１及び第２の乗客プラットフォームが作動位置にある時に、１又は２以上の乗客のうちの１人の乗客を第２の乗客席に固定するように構成される。
【０００７】
全体を通じて同じ部分を同じ符号によって示す添付図面を参照しながら以下の詳細な説明を読めば、本開示のこれらの及びその他の特徴、態様及び利点がより良く理解されるであろう。
【図面の簡単な説明】
【０００８】
【図１】本開示の態様による、（例えば、真っ直ぐな又は直立した）乗車位置にある背もたれ乗客拘束具を含む乗り物車両の実施形態の立面図である。
【図２】本開示の態様による、背もたれ乗客拘束具が（例えば、リクライニングした）作動位置にある図１の乗り物車両の実施形態の立面図である。
【図３】本開示の態様による、背もたれ乗客拘束具が作動位置にある図１の乗り物車両の別の実施形態の立面図である。
【図４】本開示の態様による、階段状構成を有するとともに、乗車位置にある背もたれ乗客拘束具を含む乗り物車両の実施形態の立面図である。
【図５】本開示の態様による、背もたれ乗客拘束具が作動位置にある図４の乗り物車両の別の実施形態の立面図である。
【図６】背もたれ上の背もたれ乗客拘束具がリクライニング位置(reclined position)にある乗り物車両の実施形態の立面図である。
【図７】本開示の態様による、図１〜図６の乗り物車両の乗客席の実施形態の断面図である。
【発明を実施するための形態】
【０００９】
以下、本開示の１又は２以上の特定の実施形態について説明する。これらの実施形態を簡潔に説明するために、本明細書では実際の実装の特徴を全て説明していない場合もある。あらゆる工学又は設計プロジェクトにおいて見られるようなあらゆるこのような現実の実装の開発においては、実装によって異なり得るシステム関連及びビジネス関連の制約の順守などの開発者の個別の目的を達成するために、数多くの実装固有の決定を行わなければならないと理解されたい。さらに、このような開発努力は複雑かつ時間の掛かるものとなり得るが、本開示の恩恵を受ける当業者にとっては設計、製作及び製造という日常的な取り組みであると理解されたい。
【００１０】
本開示の実施形態は、乗り物車両の隣席の背もたれに一体化された、娯楽用乗り物の乗り物車両のための乗客拘束具に関する。例えば、所与の乗客を固定するように構成された乗客拘束具を、（例えば、乗り物車両の移動方向に対して）乗客の前方の席の背もたれに含める（又は、結合する）ことができる。本開示の実施形態によれば、乗り物車両が乗り物経路（例えば、乗り物車両の一定経路及び／又は所定の経路）に沿って移動する際に、乗り物車両の座席が傾動、リクライニング又はその他の方法で姿勢を変化させて、乗り物車両内の乗客に係合して固定することができる。乗客拘束具を隣席の背もたれに組み込むと、乗客拘束具を乗り物車両に固定するために利用される追加のコンポーネント（例えば、結合アーム、ロッド、シャフト及び／又はその他の特徴部）が排除されることにより、乗り物車両において利用できる空間量を増やすことができる。例えば、乗客席の前方の背もたれに結合された乗客拘束具は、その座席の唯一の拘束具とすることも、或いはシートベルトのみと連動することもできる。従って、乗り物車両がさらなる乗客を同伴することができ、及び／又は通路又は通り道にさらなる空間を提供して乗り物車両からの乗客の乗車及び降車を容易にすることができる。
【００１１】
図１は、乗車位置１２（又は降車位置）にある乗客席を含む乗り物車両１０の実施形態の立面図である。図１の例示的な実施形態に示すように、乗り物車両１０は基部１４を含むことができる。基部１４は、乗り物車両１０を乗り物経路の方向１６に動かすように構成されたボギー台車及び／又は別の装置に結合することができる。いくつかの実施形態では、基部１４をモジュール式及び／又は連接式とすることができる。基部１４は、１又は２以上の乗客席１８に結合することもできる。例えば、乗り物車両１０は、第１の乗客席２０及び第２の乗客席２２を含む。図１に示すように、第１の乗客席２０は、乗り物経路の方向１６に対して第２の乗客席２２の前方に（例えば、隣接して）位置することができる。また、第１の乗客席２０及び第２の乗客席２２は、第１の乗客席２０及び第２の乗客席２２内に配置された乗客２３が乗り物経路に沿った移動方向１６を向くように乗り物車両１０の基部１４上に位置する。他の実施形態では、第１の乗客席２０及び第２の乗客席２２が、乗客２３が乗り物経路に沿った移動方向１６とは反対側を向くように基部１４上に位置することもできる。図１の例示的な実施形態には、２つの乗客席１８を有する乗り物車両１０を示しているが、他の実施形態は、２つよりも多く乗客席１８（例えば、３、４、５、６、７、８、９、１０又は１１以上の乗客席１８）を含むこともできる。また、乗り物車両１０は、図示の実施形態の乗り物経路の方向１６に対して横方向(crosswise)である横軸２４に関して乗客席１８が互いに隣接できるような乗客席１８の列を含むこともできる。従って、いくつかの実施形態では、乗り物車両１０を、１〜１００人の乗客、５〜５０人の乗客、又は１０〜３０人の乗客を収容するように構成することができる。
【００１２】
図１の例示的な実施形態に示すように、乗客席１８は、背もたれ２６、座席部分２８及び支持体３０を含むことができる。また、いくつかの実施形態では、乗客席１８が、乗り物車両１０が乗り物経路に沿って移動する際に乗客２３が把持できる握り、肘掛け、及び／又はその他の装置を含むこともできる。支持体３０は、乗客プラットフォーム３２に結合することができる。乗客プラットフォーム３２は、基部１４に対して移動（例えば、傾動及び／又は回転）するように構成することができる（例えば、図２を参照）。他の実施形態では、支持体３０を基部１４にヒンジ結合することができる。１又は２以上の乗客席１８の背もたれ２６は、背もたれ２６に直接結合された乗客拘束具３４を含むことができる。乗客席１８が図１に示すような乗車位置１２にある時には、乗客拘束具３４を、乗客席１８間の乗客２３の移動が妨げられないように、及び／又は別様に邪魔されないように位置付けることができる。従って、乗客２３の乗車及び／又は降車を容易にすることができる（例えば、乗客２３の乗車時間及び／又は降車時間を短縮することができる）。一方で、乗り物車両１０が作動位置（例えば、図２を参照）にある時には、乗客拘束具３４を、乗客２３を乗客席１８内に固定する（例えば、乗り物車両１０に対する乗客２３の動きを実質的に妨げる）ように構成することができる。
【００１３】
乗客拘束具３４は、締結具（例えば、締結用ねじ）、接着剤及び／又は別の好適な方法を通じて背もたれ２６に直接結合することができる。乗客拘束具３４は、乗り物車両１０が作動位置にある時に乗客２３を乗客席１８内に固定するあらゆる好適な位置において背もたれ２６に直接結合することができる（例えば、図２を参照）。いくつかの実施形態では、乗客拘束具３４が、所与の乗客２３の膝３８の形状に適合するように構成できるポリマー材料及び／又は別の弾性材料を含むことができる。他の実施形態では、乗客拘束具３４が、乗り物車両１０が作動位置にある時に乗客２３を乗客席１８に固定できる（例えば、乗客席１８及び乗り物車両１０に対する乗客２３の動きを実質的に妨げることができる）別の好適な材料を含むことができる。いくつかの実施形態では、乗客拘束具３４が、作動時に乗客拘束具３４をそれぞれの乗客２３と密接に係合させる伸張機構（例えば、伸張アーム(telescoping arm)）に結合することができ、或いは（複雑性を制限するために）このような機構を排除することもできる。図１の例示的な実施形態に示すように、乗客拘束具３４は、乗客２３の膝３８の形状に適合するように構成された概ね半円形の断面を含むことができる。乗客拘束具３４を乗客２３の膝３８の形状に適合させることにより、乗り物車両１０が乗り物経路に沿って移動している間にさらなる快適性を提供することによって乗客２３の体験を強化することができる。他の実施形態では、乗客拘束具３４の断面が、乗り物車両１０が作動位置にある時に乗客２３を乗客席１８内に固定できるあらゆる好適な形状を含むことができる。乗客拘束具３４については、本明細書において図７を参照しながらさらに詳細に説明する。
【００１４】
いくつかの実施形態では、背もたれ２６が、所与の乗客２３の胴体３９の形状に適合する曲率を含むことができる。背もたれ２６に曲率を含めることにより、乗り物車両１０が乗り物経路に沿って移動している間にさらなる快適性を提供することによって乗客２３の体験を強化することができる。また、背もたれ２６は、座席部分２８から一定の距離４０だけ延びることができる。距離４０は、最終的に乗り物車両１０を利用し得る乗客２３の平均身長に基づいて予め決定しておくことができる。座席部分２８は、支持体３０に対して一定の角度４２で位置することもできる。角度４２は、乗り物車両１０が乗り物経路に沿って移動する際に乗客２３に快適性を提供するように予め決定しておくことができる。また、支持体３０に対する座席部分２８の角度４２は、乗客２３の足４４が基部１４及び／又は乗客プラットフォーム３２に接触できるように予め決定しておくこともできる。さらに、背もたれ２６の曲率及び／又は座席部分２８の角度４２は、乗客２３を所定の姿勢４６で配置するように構成することができる。所定の姿勢４６は、乗り物車両１０が乗り物経路に沿って方向１６に移動する際に快適性を提供して乗客２３を乗客席１８に確実に固定できる姿勢に基づくことができる。
【００１５】
図２は、作動位置６０に遷移した乗り物車両１０の乗客席１８の立面図である。図２の例示的な実施形態に示すように、乗客プラットフォーム３２は基部１４に対して回転及び／又は傾動している。従って、乗客席１８も基部１４に対して回転及び／又は傾動している。例えば、乗客席１８が概ね作動位置６０にリクライニングすると、第１の乗客席２０の乗客拘束具３４が第２の乗客席２２に着座した乗客２３の膝３８に近接して位置するようになる。従って、乗り物車両１０が乗り物経路に沿って移動する際には、作動位置６０において乗客拘束具３４が第２の乗客席２２の乗客２３に係合して乗客２３を第２の乗客席２２内に固定する。
【００１６】
例えば、乗り物車両１０が乗り物経路に沿って移動すると、乗客２３は、揺動、旋回、加速、カーブ及び／又はその他の急な素早い動きを体験することができる。従って、乗客拘束具３４は、乗客席１８（及び乗り物車両１０）に対する乗客２３の動きを実質的に妨げることによって乗客２３を乗客席１８に固定することができる。また、乗客拘束具３４は、乗り物経路を全体通じて乗客２３に安心感を与えることもできる。図２に示す実施形態には、第２の乗客席２２の乗客２３を固定している最中の第１の乗客席２０を示しているが、第１の乗客席２０の（例えば、方向１６に対して）前方に第３の乗客席１８が位置して、第１の乗客席２０の乗客２３を固定する乗客拘束具３４を含むこともできる。また、他の実施形態では、別の好適な固定機構（例えば、膝用バー、シートベルト、及び／又は乗客拘束具３４を含んで乗客席１８と共に作動位置６０に移動するように構成された乗り物車両１０の構造的特徴）を介して第１の乗客席２０の乗客２３を乗客席１８に固定することもできる。
【００１７】
いくつかの実施形態では、乗り物車両１０が、基部１４に対して乗客プラットフォーム３２を回転（例えば、傾動）させるように構成された枢動システム６４を含むことができる。例えば、枢動システム６４は、基部１４の下方に位置するアクチュエータ６６（例えば、空圧式アクチュエータ、油圧式アクチュエータ又は電子アクチュエータ）を含むことができる。いくつかの実施形態では、乗客プラットフォーム３２を、基部１４に対して回転できるようにヒンジ６８（例えば、ヒンジ接続部(hinged connection)）を介して基部１４に結合することができる。アクチュエータ６６は、乗客プラットフォーム３２（従って乗客席１８）が乗車位置１２から作動位置６０に、及びその逆に動くように、乗客プラットフォーム３２をヒンジ６８（例えば、ヒンジ接続部）の周囲で回転させるように構成することができる。いくつかの実施形態では、枢動システム６４が、第１の乗客席２０及び第２の乗客席２２（及び乗客プラットフォーム３２）を両方とも動かすように構成できる（例えば、カムに結合された）単一のアクチュエータ６６を含むことができる。他の実施形態では、枢動システム６４が、各乗客席１８用のアクチュエータ６６、及び／又はあらゆる好適な数の（例えば、２、３、４、５又は６以上の）乗客席１８を動かすように構成された複数のアクチュエータ６６を含むことができる。
【００１８】
いくつかの実施形態では、支持体３０が、乗客プラットフォーム３２及び乗客席１８がヒンジ６８の周囲で回転した時に支持体３０の長さ７２が増加及び／又は減少するような伸縮部分(telescoping portions)７０を含むことができる。伸縮部分７０は、線形的な伸長のために実質的に真っ直ぐとすることも、或いは多方向の伸長をもたらすように湾曲することもできる。いくつかの実施形態では、乗客席１８が意図せず乗客２３に接触しないように、枢動システム６４が、所定の位置を越えた乗客プラットフォーム３２及び／又は乗客席１８の動きを妨げるように構成された機械的ストップ(mechanical stop)を含むことができる。他の実施形態では、ヒンジ６８を、所定の位置を越えた乗客プラットフォーム３２及び／又は乗客席１８の動きを妨げるように構成することができる。さらに別の実施形態では、枢動システム６４を、乗客プラットフォーム３２及び／又は乗客席１８の動きを開始する（例えば、乗客席１８を乗車位置１２から作動位置６０に、又はその逆に動かす）ように命令する信号を枢動システム６４に（例えば、プロセッサ７８を介して）供給するコントローラ７６に結合することができる。従って、コントローラ７６は、所定の位置を越えた乗客プラットフォーム３２及び／又は乗客席１８の動きを妨げるように構成された、メモリ８０に記憶された電気的ストップを含むことができる。伸縮部分７０は、カスタマイズされた快適性及び機能性をもたらすように座席毎又は乗客毎に制御又は制限することができる。
【００１９】
いくつかの実施形態では、コントローラ７６を、乗り物経路に沿った乗り物車両１０の動きを作動させ、１又は２以上の所定の乗り物経路オプションから乗り物経路を決定し、及び／又は乗り物車両１０が乗り物経路の最後に到達した時に乗り物車両１０の制動システムを開始させることなどの、乗り物車両１０のさらなる態様及び／又は特徴を制御するように構成することができる。さらに、コントローラ７６は、乗り物経路沿いに配置された様々なセンサ及び／又はモニタ装置からフィードバックを受け取り、フィードバックに応答して乗り物車両１０の特徴を制御することもできる。他の実施形態では、コントローラ７６を、乗車位置１２から作動位置６０への、及びその逆への乗客プラットフォーム３２及び／又は乗客席１８の動きの制御に加えて、乗り物車両１０のあらゆる好適な特徴を制御するように構成することができる。
【００２０】
図２の例示的な実施形態に示すように、作動位置６０は、乗客２３を実質的に所定の姿勢４６に維持する。従って、乗客２３は、乗り物車両１０に対して傾動（例えば、回転）することができるが、乗客２３の姿勢は実質的に変化しない。しかしながら、他の実施形態では、乗り物車両１０が乗車位置１２から作動位置６０（又はその逆）に動いた時に乗客２３の姿勢が変化することもできる。例えば、図３は、作動位置６０にある乗り物車両１０の別の実施形態の立面図である。図３の例示的な実施形態に示すように、乗り物車両１０は、基部１４に対して回転する乗客プラットフォーム３２を含んでいない。むしろ、背もたれ２６が、乗客２３の膝３８に近接して乗客拘束具３４をリクライニングさせて位置付けるように構成される。例えば、いくつかの実施形態では、乗客拘束具３４が乗客２３の膝３８に接触せずに、乗客拘束具３４と乗客２３の膝３８との間に隙間を形成することができる。この隙間は、乗り物車両１０が乗り物経路に沿って移動する際に乗客席１８に対する乗客２３の動きが実質的に妨げられるような所定の距離を含むことができる。他の実施形態では、乗客拘束具３４が乗客２３の膝３８に接触して、乗客席１８に対する乗客２３の動きを実質的に妨げることができる。
【００２１】
いくつかの実施形態では、背もたれ２６が、座席部分２８及び／又は基部１４に対して回転（例えば、傾動及び／又は枢動）することができる。従って、背もたれ２６は、座席部分２８が（例えば、基部１４に対して）実質的に静止したままである間に回転できるように、座席部分２８から独立することができる。従って、背もたれ２６は、座席部分２８にヒンジ１００を介して結合することができる。また、ヒンジ１００は、アクチュエータ１０２（例えば、モータ、空圧式アクチュエータ及び／又は油圧式アクチュエータ）によって座席部分２８に対して背もたれ２６を回転させるように制御することもできる。上述したように、アクチュエータ１０２は、乗車位置１２から作動位置６０への（及びその逆への）乗客席１８の動きを制御できるコントローラ７６に結合することができる。
【００２２】
図３の例示的な実施形態に示すように、乗り物車両１０は、乗客２３を着座させずに乗客１０６を前方乗客席１０８内に固定するように構成できる前方拘束具１０４を含むことができる。従って、前方拘束具１０４は、乗車位置１２から作動位置６０に動くように構成することができる。前方拘束具１０４が作動位置６０にある時には、乗客１０６を前方乗客席１０８内に固定することができる。前方拘束具１０４は、前方拘束具１０４の基部１４に対する回転を可能にするように構成されたヒンジ１０９を含むことができる。いくつかの実施形態では、ヒンジ１０９をアクチュエータ１０２に結合して、前方拘束具１０４をアクチュエータ１０２によって回転させることもできる。他の実施形態では、乗り物車両１０が、前方拘束具１０４を回転させるように構成されたアクチュエータ１０２から独立したさらなるアクチュエータを含むことができる。
【００２３】
また、図３には、乗り物車両１０（及び乗客席１８）が作動位置６０にある時のリクライニング姿勢１１０の乗客２３を示す。リクライニング姿勢１１０は、風景及び／又は娯楽用乗り物の他の視覚的特徴を乗客２３が容易に見られるようにすることができる。また、リクライニング姿勢１１０は、乗り物車両１０が乗り物経路に沿って移動する際に乗客２３にさらなる快適性を提供することによって乗客２３の体験を強化することもできる。なお、図３には遷移状態を示しており、拘束具３４は、完全に作動位置にある時には乗客２３に係合する（例えば、太股辺りに適合する）。
【００２４】
さらに別の実施形態では、乗り物車両１０が、乗客席１８の列１３２が横軸１３４に沿って互いにオフセットされた階段状構成(tiered configuration)１３０を含むことができる。例えば、図４は、階段状構成１３０を含む乗り物車両１０の実施形態の立面図である。従って、いくつかの実施形態では、乗客２３が、乗り物車両１０内に含まれる階段を通って乗客席１８に到達することができる。他の実施形態では、乗り物車両１０の乗車プラットフォームが対応する階段状構成を含むことにより、乗り物車両１０に階段付きの通路を含めることなく乗客２３が乗客席１８に到達することができる。
【００２５】
階段状構成１３０は、乗客席１８を距離１３６だけオフセットさせることができる。いくつかの実施形態では、乗り物車両１０の乗客席１８間の距離１３６を均等にすることができる。他の実施形態では、設計公差及び／又は製造公差を考慮するように距離１３６が変化することができる。非制限的な例として、距離１３６は、１インチ〜２４インチ、５インチ〜１２インチ、又は７インチ〜１０インチとすることができる。いずれの場合にも、距離１３６は、作動位置６０において乗客拘束具３４が乗客２３に近接して配置されて乗客２３を乗客席１８内に固定するように予め決定しておくことができる。
【００２６】
例えば、図５は、（完全な作動位置に遷移した）作動位置６０にある図４の乗り物車両１０の立面図である。図５の例示的な実施形態に示すように、作動位置６０では、乗車位置１２と比べると背もたれ２６がリクライニングされている。いくつかの実施形態では、背もたれ２６が、座席部分２８及び／又は基部１４に対して回転（例えば、傾動及び／又は枢動）するように構成される。従って、背もたれ２６は、座席部分２８が（例えば、基部１４に対して）実質的に静止したままである間に回転できるように、座席部分２８から独立することができる。従って、背もたれ２６は、座席部分２８にヒンジ１５２を介して結合することができる。また、ヒンジ１５２は、アクチュエータ１５４（例えば、モータ、空圧式アクチュエータ及び／又は油圧式アクチュエータ）によって座席部分２８に対して背もたれ２６を回転させるように制御することもできる。上述したように、アクチュエータ１５４は、乗車位置１２から作動位置６０への（及びその逆への）乗客席１８の動きを制御できるコントローラ７６に結合することができる。
【００２７】
図３の実施形態と比べると、乗り物車両１０の階段状構成１３０では、乗客２３の姿勢をさらに直立させる（例えば、乗車位置１２に近づける）ことができる。例えば、乗り物車両１０に階段状構成１３０が含まれる時には、乗車位置１２にある時に背もたれ２６の位置が乗客２３の膝３８に近づくので、乗客２３の姿勢の調整度合いが小さくなり得る。従って、乗客２３は、乗車位置１２から作動位置６０への実質的な動きを体験しないことができる。
【００２８】
乗り物車両１０が作動位置６０にある時には、乗客拘束具３４が乗客２３の膝３８に近接することにより、乗客２３はそれぞれの乗客席１８に固定される（例えば、乗客席１８に対する乗客２３の動きが実質的に妨げられる）。いくつかの実施形態では、乗客拘束具３４が、単独で又はシートベルト１５５と連動して動作する。図５の例示的な実施形態に示すように、最も前方の乗客席１５８（例えば、方向１６に対して）に着座した乗客１５６は、膝用バー１６０によって乗客席１５８に固定することができる。例えば、膝用バー１６０は、乗車位置１２（例えば、図４）から作動位置６０（例えば、図５）に動く際に基部１４に対して回転するように構成することができる。いくつかの実施形態では、乗車位置１２にある時に、膝用バー１６０が、乗り物車両１０に結合されたハウジング１６２内に位置することができる（例えば、図４を参照）。従って、乗客１５６が（例えば、乗車中及び／又は降車中に）乗り物車両１０に出入りする際に、乗客１５６の通路１６４が膝用バー１６０によって妨げられないようにすることができる。一方で、作動位置６０にある時には、膝用バー１６０が乗客１５６を乗客席１５８に固定する。他の実施形態では、他の好適な拘束方法（例えば、シートベルト、及び／又は乗客席１５８と共に軸１３４に対してオフセットされた膝用バー）を利用して乗客１５６を乗客席１５８に固定することもできる。
【００２９】
図６は、作動位置６０にある時にリクライニング位置１７２を取ることができる乗客席１７０を有する乗り物車両１０の別の実施形態の立面図である。例えば、乗客２３は、乗り物車両１０に対して実質的に水平姿勢(horizontal position)で（例えば、横たわって）着座することができる。換言すれば、各乗客２３の身体は方向１６に（例えば、各乗客２３の足から各乗客２３の頭部まで）延びることができる。いくつかの実施形態では、リクライニング位置１７２にある時に、乗客席１７０が乗り物車両１０に対して角度１７３を成すことができる。例えば、角度１７３は、１５０度〜２００度、１６０度〜１８０度、１６０度〜１７０度、又は約１８０度（の５パーセント以内又は１０パーセント以内など）とすることができる。いくつかの実施形態では、リクライニング位置１７２にある時に、乗り物車両が乗り物経路に沿って進む際に生じる力を増加した乗客席１７０の部分が吸収できるので、乗車中に乗客２３に実質的に無重力の感覚をもたらすことができる。換言すれば、乗り物車両１０が乗り物経路に沿って進む際にリクライニング位置１７２にあると、乗客２３は飛んでいるような感覚を体験することができる。これに加えて、又はこれとは別に、リクライニング位置１７２は、各乗客２３の体重を乗客席１７０の全長１７４にわたって均一に分散させることができる。例えば、乗客２３をリクライニング位置１７２に配置すると、乗客２３の各身体の重力に曝される量、重力を吸収する量、及び／又は重力を体験する量が増大する。いくつかの実施形態では、乗客席１７０が、この感覚を高める１又は２以上の膨張式空気袋(inflatable bladders)１７５を含むことができる（例えば、膨張式空気袋は、乗客２３の体重をさらに分散させる）。従って、乗客２３は、乗客２３に加わる力がさらに分散することによって、乗客席１７０を含む乗り物車両１０内で強化された又は新たな体験を味わうことができる。
【００３０】
さらに、リクライニング位置１７２は、乗客２３の視点１７６を乗り物車両１０に対して（例えば、横軸１３４に沿って）概ね上向き１７８に導くことができる。従って、乗客２３は、乗り物車両１０に対して（例えば、横軸１３４に沿って）垂直方向上向き１７８に配置された画面１８０を見ることができる。いくつかの実施形態では、乗客２３が画面１８０を複数の視点１７６から見ることができるように、画面１８０が乗り物車両１０を取り囲むことができる。例えば、画面１８０は、乗客２３が乗り物経路沿いの実質的にどこからでも画面１８０を見られるように、実質的にドーム形、キューブ形及び／又は多角形とすることができる。この時、乗客２３の体験は、乗り物経路に沿って進む乗り物車両１０から受ける力と、画面１８０上で見ることができる視覚的イメージとの組み合わせとなり得る。
【００３１】
また、乗客席１７０のリクライニング位置１７２は、乗客２３の視点１７６が別の乗客２３によって実質的に妨げられないようにすることもできる。換言すれば、リクライニング位置１７２では、別の乗客２３が視点１７６を妨げることなく各乗客２３が画面１８０を見ることができる。リクライニング位置１７２は、方向１６に対して乗り物車両１０の前方又は後方に位置する別の乗り物車両１０によって生じ得る妨害を抑えることもできる。さらに、いくつかの実施形態では、横軸２４に沿って延びる乗り物車両１０の列１８１を横軸１３４に沿って互いに垂直にオフセットさせることもできる。このような実施形態では、例えば他の列１８１（例えば、乗客２３のうちの１人の方向１６に対する直前の列）内の乗客２３によって生じ得る妨害が抑えられることによって乗客２３の視点１７６を強化することができる。図６に示す実施形態には、２つの列１８１を有する乗り物車両１０を示しているが、他の実施形態では、乗り物車両１０が、１つの列１８１、又は２つよりも多くの列１８１（例えば、３、４、５、６、７、８、９、１０又は１１以上の列１８１）を含むこともできる。
【００３２】
また、乗客席１７０の背もたれ１８２は、乗客２３を乗客席１７０に固定するために利用できる乗客拘束具３４を含むことができる。従って、乗客席１７０が乗車位置１２（図示せず）から作動位置６０に動くと、乗客拘束具３４が、乗り物車両１０及び／又は乗客席１７０に対する乗客３４の動きを実質的に妨げることができる。これに加えて、又はこれとは別に、乗客席１７０は、シートベルト、膝用バー、肩拘束具、別の好適な拘束具、又はこれらの組み合わせなどのさらなる拘束具１８４を含むこともできる。さらなる拘束具１８４を利用して、乗客拘束具３４では妨げられなかったはずの乗り物車両１０及び／又は乗客席１７０に対する乗客３４の動きを妨げることができる。
【００３３】
図７は、背もたれ２６及び乗客拘束具３４の実施形態の断面図である。図７の例示的な実施形態に示すように、図７の乗客拘束具３４は、輪郭形成されたカマーバンド構成(contoured cummerbund configuration)２００を含むことができる。輪郭形成されたカマーバンド構成２００は、乗客２３の膝３８の形状に適合することができる。例えば、輪郭形成されたカマーバンド構成２００は、乗客２３の脚（例えば、大腿部）に適合するように構成された１又は２以上の窪み２０２を含むことができる。従って、いくつかの実施形態では、乗客拘束具３４が作動位置６０に動くと、１又は２以上の窪み２０２が乗客２３の膝３８と乗客拘束具３４との間に隙間を形成することができる。他の実施形態では、１又は２以上の窪み２０２が乗客２３の膝３８及び／又は胸に接触することもできるが、乗客拘束具３４が乗客２３の体型に概ね適合するため、乗客２３の快適性を高めることができる。
【００３４】
図示の実施形態に示すように、乗客拘束具３４は、概ね半円形の断面２０４を含む。いくつかの例では、半円形断面２０４が、乗客拘束具３４の乗客２３の体型への適合を可能にすることができる。他の実施形態では、乗客拘束具３４が、矩形断面、多角形断面、円形断面、及び／又は乗り物車両１０が乗り物経路に沿って移動する際に乗客２３を乗客席１８に固定する他のいずれかの好適な形状の断面を含むことができる。
【００３５】
いくつかの実施形態では、乗客拘束具３４が、乗客２３の膝３８の形状にさらに適合してさらなる快適性をもたらすように弾性材料を含むことができる。例えば、乗客拘束具３４は、発泡体に形成されたポリエチレン、ポリプロピレン及び／又はポリウレタンなどのポリマー材料を含むことができる。他の実施形態では、乗客拘束具３４が、乗客２３を乗客席１８に固定できるいずれかの材料及び／又は材料の組み合わせを含むことができる。いくつかの実施形態では、乗客拘束具３４を形成する材料が、乗客２３のサイズの範囲に対応できるほど十分に柔軟である。しかしながら、他の実施形態では、延長アーム３０２が乗客拘束具３４の調整を容易にすることもできる。実際に、延長アーム３０２は、小さな乗客の係合を容易にして、抵抗閾値が満たされた時に適所にロックするように作動することができる。
【００３６】
本明細書では、本開示のいくつかの特徴のみを図示し説明したが、当業者には多くの修正及び変更が思い浮かぶであろう。従って、添付の特許請求の範囲は、本開示の実際の趣旨に該当する全てのこのような修正及び変更を含むものであると理解されたい。
【図１】
0006868713.tif 000002
【図２】
0006868713.tif 000003
【図３】
0006868713.tif 000004
【図４】
0006868713.tif 000005
【図５】
0006868713.tif 000006
【図６】
0006868713.tif 000007
【図７】
0006868713.tif 000008